【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
開始者と受信者との間の電話またはデータ通信などの通信のルーティングを決定する方法であって、
通信アドレス間の関連付けをアドレスマッピングとして保存するステップと、
（ｉ）各アドレスマッピングは、
（ａ）通信が開始される開始者アドレスと、前記通信がアドレス指定されている受信者アドレスとが関連付けられて格納されており、
（ｂ）前記開始者アドレスと前記受信者アドレスの相関関係を用いて検索可能であり、
（ｃ）前記通信が伝送されるべき少なくとも１つの最終アドレスの識別子を格納し、
（ｉｉ）アドレスマッピングは、エディット要求に応じて動的に作成され、
前記開始者アドレスと前記受信者アドレスとの相関関係を用いて検索される保存されたアドレスマッピングにより特定される前記最終アドレスから、開始者アドレスからアドレス指定された受信者アドレスへの通信の最終アドレスを決定するステップと、を含む方法。
【請求項２】
前記決定ステップは、
前記イニシエータおよび受信者アドレスを指定する検索要求を受信し、
前記要求により指定される前記開始者および受信者アドレスに関連付けられているアドレスマッピングを検索し、
前記要求により指定される前記開始者および受信者アドレスに関連付けられているアドレスマッピングにより特定される前記最終アドレスを、そのようなアドレスマッピングがある場合、提供する、請求項１に記載の方法。
【請求項３】
前記エディット要求は、前記マッピングが作成されるために前記開始者アドレスおよび前記最終アドレスを指定し、
前記受信者アドレスは、前記エディット要求により指定されるか、所定のアルゴリズムを用いて自動的に決定される、請求項１または２に記載の方法。
【請求項４】
前記受信者アドレスは、プールされたアドレスからの割り当てにより自動的に決定される、請求項３に記載の方法。
【請求項５】
少なくとも１つのアドレスマッピングはさらに返信アドレスを特定し、前記返信アドレスは前記最終アドレスと同じプロトコルでアドレス可能である、先行する請求項のいずれかに記載の方法。
【請求項６】
エディット要求に応じて作成された少なくとも１つのアドレスマッピングは、前記最終アドレスと同じプロトコルでアドレス可能な返信アドレスを特定し、前記返信アドレスは、前記エディット要求により指定されるか、所定のアルゴリズムを用いて自動的に決定される、請求項１から４のいずれかに記載の方法。
【請求項７】
前記返信アドレスは、プールされたアドレスからの割り当てにより自動的に決定される、請求項６に記載の方法。
【請求項８】
アドレスマッピングが作成された場合、対応する返信マッピングが自動的に作成され、前記返信マッピングの前記開始者アドレスは、前記作成されたアドレスマッピングの前記最終アドレスに設定されており、前記返信マッピングの前記受信者アドレスは、前記作成されたアドレスマッピングの返信アドレスに設定されるか、所定のアルゴリズムを用いて自動的に決定される、先行する請求項のいずれかに記載の方法。
【請求項９】
前記対応する返信マッピングを作成することには、前記対応する返信マッピングの前記最終アドレスを、前記作成されたアドレスマッピングの前記開始者アドレスに設定することを含む、請求項８に記載の方法。
【請求項１０】
前記対応する返信マッピングを作成することには、返信エディット要求を生成することと、
前記返信エディット要求から前記対応する返信マッピングを作成することを含む、請求項８または９に記載の方法。
【請求項１１】
前記返信エディット要求は、前記作成されたアドレスマッピングの前記受信者アドレスに設定された返信アドレスを含む、請求項１０に記載の方法。
【請求項１２】
修正エディット要求に応じて、アドレスマッピングを修正するステップをさらに含む、先行する請求項のいずれかに記載の方法。
【請求項１３】
前記アドレスマッピングを修正するステップは、全ての対応する返信マッピングを自動的に修正するステップを含む、請求項１２に記載の方法。
【請求項１４】
前記全ての対応する返信マッピングを自動的に修正するステップは、
前記修正アドレスマッピングの前記最終アドレスに設定された開始者アドレスと、前記修正アドレスマッピングの前記開始者アドレスに設定された最終アドレスとを有する返信修正エディット要求を生成し、
前記返信修正エディット要求に応じて、前記対応する返信マッピングを修正する、ことを含む、請求項１３に記載の方法。
【請求項１５】
前記返信修正エディット要求は、前記修正アドレスマッピングの前記受信者アドレスに設定された返信アドレスを含む、請求項１４に記載の方法。
【請求項１６】
１つのアドレスマッピングに複数の開始者アドレスおよび／または複数の受信者アドレスを対応付けるステップを含む、先行する請求項のいずれかに記載の方法。
【請求項１７】
アドレスマッピングは、複数の最終アドレスおよび／または複数の返信アドレスを特定し、
１つの最終アドレスが前記複数の最終アドレスから所定のアルゴリズムを用い選択され、かつ／または
１つの返信アドレスが前記複数の返信アドレスから所定のアルゴリズムを用い選択される、先行する請求項のいずれかに記載の方法。
【請求項１８】
前記アドレスのプールから割り当てられたアドレスの割り当てを、そのような割り当てが必要でなくなった場合、解除し、前記アドレスが前記アドレスのプールから再割り当てされるようにするステップをさらに含む、請求項４または７に記載の方法。
【請求項１９】
アドレスマッピングの前記最終アドレスおよび前記開始者アドレスは異なる通信プロトコルを有し、かつ／または、返信マッピングの前記最終アドレスおよび前記開始者アドレスは異なる通信プロトコルを有する、先行する請求項のいずれかに記載の方法。
【請求項２０】
前記エディット要求は開始者アドレスからである、先行する請求項のいずれかに記載の方法。
【請求項２１】
電話またはデータ通信などの通信をルーティングする方法であって、
通信アドレス間の関連付けをアドレスマッピングとして保存するステップと、
各アドレスマッピングは、（ｉ）通信が開始される開始者アドレスと、前記通信がアドレス指定されており、前記開始者アドレスと同じ通信プロトコルでアドレス可能な受信者アドレスとが関連付けられて格納されており、（ｉｉ）前記開始者アドレスと前記受信者アドレスとの相関関係を用いて検索され、（ｉｉｉ）前記通信が伝送されるべき少なくとも１つの最終アドレスの識別子を格納し、
少なくとも１つのアドレスマッピングがエディット要求に応じて動的に作成され、
前記開始者および受信者アドレスの相関関係を用いて検索された保存されたアドレスマッピングにより特定された最終アドレスから、開始者アドレスからアドレス指定された受信者アドレスへの通信の最終アドレスを決定するステップと、
前記開始者アドレスから前記最終アドレスへ前記通信をルーティングするステップと、を含む方法。
【請求項２２】
アドレスマッピングは、エディット要求に応じて作成され、前記エディット要求は、前記アドレスマッピングの前記最終アドレスおよび前記開始者アドレス両方を指定し、前記アドレスマッピングの前記受信者アドレスは、前記エディット要求中で指定されるか、所定のアルゴリズムを用いて自動的に決定される、請求項２１に記載の方法。
【請求項２３】
少なくとも１つのアドレスマッピングは、さらに返信アドレスを特定し、前記返信アドレスは、前記最終アドレスと同じプロトコルでアドレス可能な通信アドレスである、請求項２１または２２に記載の方法。
【請求項２４】
最終アドレスと、開始者アドレスおよび受信者アドレス両方との関連付けを、返信マッピングとして自動的に保存するさらなるステップを含み、前記返信マッピングの前記開始者アドレスは、前記アドレスマッピングの前記最終アドレスに対応し、前記返信マッピングの前記受信者アドレスは、前記返信マッピングの前記開始者アドレスと同じプロトコルでアドレス可能な通信アドレスである、請求項２１から２３のいずれかに記載の方法。
【請求項２５】
前記返信マッピングの前記最終アドレスは、前記作成されたアドレスマッピングの前記開始者アドレスに設定されている、請求項２４に記載の方法。
【請求項２６】
前記返信マッピングは、前記返信マッピングの前記最終アドレスと同じプロトコルでアドレス可能な通信アドレスである返信アドレスを指定する、請求項２４または２５に記載の方法。
【請求項２７】
電話またはデータ通信などの通信をルーティングする装置であって、
通信アドレス間の関連付けをアドレスマッピングとして含むデータ記憶部を有し、１つ以上の通信ネットワークと通信するよう構成されたマッピング手段と、
各アドレスマッピングは、
（ａ）通信が開始される開始者アドレスと、前記通信がアドレス指定されている受信者アドレスとが関連付けられて格納されており、
（ｂ）前記開始者アドレスと受信者アドレスの相関関係を用いて検索可能であり、
（ｃ）前記通信が伝送されるべき少なくとも１つの最終アドレスの識別子を格納し、
開始者アドレスおよび受信者アドレスの相関関係を指定する検索要求に応じ、前記指定された開始者および受信者アドレスに対応付けられたアドレスマッピングを前記データ記憶部内で検索し、そのようなアドレスマッピングが見つかった場合、そのアドレスマッピングから最終アドレスを特定する検索手段と、を含む装置。
【請求項２８】
前記マッピング手段は、エディット要求に応じ、前記データ記憶部内にアドレスマッピングを作成する手段を備えている、請求項２７に記載の装置。
【請求項２９】
前記出力された最終アドレスのプロトコルと前記開始者アドレスのプロトコルとが異なる場合、前記通信のプロトコルを変換するプロトコル変換器をさらに備える、請求項２７または２８に記載の装置。